(57)【要約】【課題】ポールを容易に着脱可能とする椅子のポール樹立装置を提供し、椅子の一時的撤去、および、再設置を容易にし、車椅子による利用を可能にするとともに、椅子の付け替え工事等を容易にする。【解決手段】フロアに固定される基板部４の上面に円筒状受部材５が形成された基盤体と、該円筒状受部材に内側に出没するように設けた係合ピン１０と、少なくとも内周面１７を上方に向かってテーパ状に拡径するように形成した円筒状の仲介リング１５と、下端部の外周面１９を前記仲介リング１５の内周面に合致するテーパ状に形成した円柱状の座部支持用ポール２とからなり、前記円筒状受部材５内に仲介リング１５を嵌合したとき前記係合ピン１０が嵌合する係合孔１８を仲介リング１５に形成してなる。【選択図】図３
2005287734.tif 000002
【特許請求の範囲】
【請求項１】
フロアに固定される基板部の上面に円筒状受部材が形成された基盤体と、少なくとも内周面を上方に向かってテーパ状に拡径するように形成した円筒状の仲介リングと、下端部の外周面を前記仲介リングの内周面に合致するテーパ状に形成した円柱状の座部支持用ポールとからなり、前記円筒状受部材内に仲介リングを回転不能で引き抜き可能なるように嵌合したことを特徴とする椅子のポール樹立装置。
【請求項２】
フロアに固定される基板部の上面に円筒状受部材が形成された基盤体と、該円筒状受部材に内側に出没するように設けた係合ピンと、少なくとも内周面を上方に向かってテーパ状に拡径するように形成した円筒状の仲介リングと、下端部の外周面を前記仲介リングの内周面に合致するテーパ状に形成した円柱状の座部支持用ポールとからなり、前記円筒状受部材内に仲介リングを嵌合したとき前記係合ピンが嵌合する係合孔を仲介リングに形成してなることを特徴とする椅子のポール樹立装置。
【請求項３】
フロアに固定される基板部の上面に円筒状受部材が形成された基盤体と、少なくとも内周面を上方に向かってテーパ状に拡径するように形成した円筒状の仲介リングと、下端部の外周面を前記仲介リングの内周面に合致するテーパ状に形成した円柱状の座部支持用ポールとからなり、仲介リングの外周に係合片を突設し該係合片が係合する係合孔を円筒状受部材に形成することにより仲介リングが円筒状受部材内に回転不能に嵌合されるようにしたことを特徴とする椅子のポール樹立装置。
【請求項４】
円筒状受部材の内周面を上方に向かってテーパ状に拡径するように形成し、仲介リングの外周面を前記円筒状受部材の内周面に合致するテーパ状に形成し、かつ該各テーパは請求項１〜３のいずれかに記載した仲介リングの内周面のテーパよりも大きな勾配に設定してなることを特徴とする椅子のポール樹立装置。
【請求項５】
座部支持用ポールの下端部寄りに両側に突出する引掛ピンを固着した請求項１〜４のいずれかに記載の椅子のポール樹立装置。
【発明の詳細な説明】
【技術分野】
【０００１】
本発明は主として遊技場に設置される椅子における座部支持用ポールを着脱自在に樹立するための装置に関するものである。
【背景技術】
【０００２】
一般にパチンコ遊技場に設けられる椅子は、座部を支持する円柱状のポール（支柱）をフロアに樹立してなるもので、該ポールは３本のアンカーボルトでフロアに固定された基板の筒部に嵌合することで樹立していた。このため、店内模様替え等のためにポールを抜き取ろうとしても筒部中にポールがきつく嵌まり込んでしまっていて、ハンマー等でたたいて無理に外そうとすると壊れるおそれがあり、このため場合によっては基板ごとアンカーボルトを抜き取ることを要するなど、工事が容易でないという問題があった。
【０００３】
また、近年のハートビル法に対応して車椅子の利用ができる遊技施設が増えてきたが、上記のようにパチンコ遊技場の遊技用椅子はフロアに固定されていたので、椅子を一時的に撤去したり再設置することは容易ではなく、このために車椅子利用者が遊技台を自由に選べる状況ではなかった。
【０００４】
一方、下記特許文献１に示された椅子は、遊技台の前面下縁部に沿って配設されたチャンネル部材にポールを支持するフラットバー状の基板の先端を着脱自在に係合させてなり、椅子の移設を容易にするものであったが、上記基板が横断状に延びフロアが凹凸状になるので、遊技者が足をつまずき易いという欠点がある。
【特許文献１】米国特許第４８４０３４３号公報
【特許文献２】実開平６−４６５４４号公報
【０００５】
また特許文献２に示された椅子は、基板上にテーパ状の受皿を設け、ポールの下部を該受皿に嵌合させるとともに、該受皿に係合孔を開設し、バール状の工具を該係合孔から挿入することで、取り外しを容易にしようとするものであった。しかし同文献に示された構造では、上記係合孔のために受皿の強度が損なわれるとともに、掃除の水等が該係合孔から受皿内に流れ込んで錆び易くなり耐久性が損なわれるという問題、および、ポールの下端にも工具を係合させる隙間を形成しなければならないので支持部が浅く、椅子使用に際しガタツキが出易いなど、支持が不安定になるおそれがあった。
【０００６】
また、上記ポールや受皿および基板は表装用の筒状カバー部材により被われることが多いが、該筒状カバー部材は座部が邪魔となって上方に抜くことができないので、上記のようにバール状の工具を使用して椅子を取り外そうとすると、その筒状カバー部材を破壊しなければならず、このため一旦椅子を取り外すと現状復帰が困難になるという問題があった。
【発明の開示】
【発明が解決しようとする課題】
【０００７】
そこで本発明は、設置工事が容易で、ポールを安定的に支持でき、しかも椅子の付け替え工事も容易となるポール樹立装置を提供しようとするものである。
【課題を解決するための手段】
【０００８】
そのために本発明の請求項１に記載の椅子のポール樹立装置は、フロアに固定される基板部の上面に円筒状受部材が形成された基盤体と、少なくとも内周面を上方に向かってテーパ状に拡径するように形成した円筒状の仲介リングと、下端部の外周面を前記仲介リングの内周面に合致するテーパ状に形成した円柱状の座部支持用ポールとからなり、前記円筒状受部材内に仲介リングを回転不能で引き抜き可能なるように嵌合したことを特徴とする。
【０００９】
また本発明の請求項２に記載の椅子のポール樹立装置は、フロアに固定される基板部の上面に円筒状受部材が形成された基盤体と、該円筒状受部材に内側に出没するように設けた係合ピンと、少なくとも内周面を上方に向かってテーパ状に拡径するように形成した円筒状の仲介リングと、下端部の外周面を前記仲介リングの内周面に合致するテーパ状に形成した円柱状の座部支持用ポールとからなり、前記円筒状受部材内に仲介リングを嵌合したとき前記係合ピンが嵌合する係合孔を仲介リングに形成してなることを特徴とする。
【００１０】
また本発明の請求項３に記載の椅子のポール樹立装置は、フロアに固定される基板部の上面に円筒状受部材が形成された基盤体と、少なくとも内周面を上方に向かってテーパ状に拡径するように形成した円筒状の仲介リングと、下端部の外周面を前記仲介リングの内周面に合致するテーパ状に形成した円柱状の座部支持用ポールとからなり、仲介リングの外周に係合片を突設し該係合片が係合する係合孔を円筒状受部材に形成することにより仲介リングが円筒状受部材内に回転不能に嵌合されるようにしたことを特徴とする。
【００１１】
また請求項４に記載の発明は、上記ポール樹立装置において、円筒状受部材の内周面を上方に向かってテーパ状に拡径するように形成し、仲介リングの外周面を前記円筒状受部材の内周面に合致するテーパ状に形成し、かつ該各テーパは請求項１〜３のいずれかに記載した仲介リングの内周面のテーパよりも大きな勾配に設定してなることを特徴とする。
【００１２】
また請求項５に記載の発明は、上記ポール樹立装置において、座部支持用ポールの下端部寄りに両側に突出する引掛ピンを固着したことを特徴とする。
ポールを引き抜くためにこの引掛ピンに工具を係合することによりポールを容易に持ち上げられ、椅子が正面を向くように容易に位置修正ができる。
【発明の効果】
【００１３】
設置工事が容易となり、また座部の向きを所要方向に常に正確に設定することができる。また、椅子を上方に持ち上げるだけでポールを簡単に抜くことができ、椅子の一時的撤去、および、再設置が容易となる。このため、椅子の付け替え工事が容易になるだけでなく、遊技場では車椅子利用者が遊技台を自由に選べるような状況にすることも可能となる。
【実施例１】
【００１４】
次に本発明の実施例を図面に従い説明する。図１はこの椅子の部分破断面斜視図、図２はそのポール樹立装置の斜視図、図３は図２の縦断面図、図４は図２のポール樹立装置の分解状態の縦断面図、図５はその斜視図である。図中、１は椅子の座部、２は該座部を支持する円柱状の座部支持用ポール、３はフロアに固定される基盤体である。該基盤体３は略円形の基板部４の上面に溶接により円筒状受部材５が固着されたもので、該基板部４にアンカーボルト６を貫挿しフロアに固定される。円筒状受部材５は高さ４０〜６０ｍｍ程度の円筒状を呈し、図４に示したように内周面７が７度の勾配にて上方に向かってテーパ状に拡径するように形成されている。また、該円筒状受部材の側壁に開設した貫通孔にプランジャ８を貫挿し該プランジャをナット９によって固定し、該プランジャ内に進退自在に設けられた係合ピン１０がレバー１１を回すことで進退動し、該係合ピン１０の先端が該円筒状受部材の内側に出没するように、該該円筒状受部材に該係合ピン１０を設けている。なお、図１中、１２は表装用として座部支持用ポール２および基盤体３を被うように設けられる略円錐形の筒状カバー部材である。また、基板部４の外周縁に該筒状カバー部材を係止するための係合部１３が切欠形成されている。
【００１５】
また、１５は円筒状の仲介リングで、該仲介リングの外周面１６は前記円筒状受部材５の内周面７に合致するよう７度の勾配のテーパ状に形成される。また、該仲介リングの内周面１７は２度の勾配にて上方に向かってテーパ状に拡径するように形成する。また、１８は前記係合ピン１０が嵌合するように該仲介リングに形成された係合孔である。
【００１６】
また、座部支持用ポール２の下端部の外周面１９は前記仲介リング１５の内周面１７に合致するよう２度の勾配のテーパ状に形成される。また、２０は該座部支持用ポールの下端部寄りに両側に突出するように固着された引掛ピンである。
【００１７】
このポール樹立装置では、フロアにアンカーボルト６により固定された基盤体３の円筒状受部材５内に仲介リング１５を合致させ係合ピン１０を係合孔１８に嵌合することにより固定する。そして、座部支持用ポール２の下端部を該仲介リング１５内に合致させる。このとき座部１が必ずパチンコ機の正面を向くように仲介リング１５内に座部支持用ポール２の下端部を挿入する。該仲介リング１５の内周面１７と座部支持用ポール２の下端部の外周面１９とは比較的緩い勾配のテーパ状に形成されているので、挿入したとき一体的密着度が高く、挿入して重量が掛かると正面を向いた状態で固定され、使用中にガタツクようなおそれもなく、上方に再び引き抜くことも困難となる。一方、係合ピン１０を係合孔１８に嵌合することにより無用な回転は制止され座部１が正面を向いた状態に固定できるとともに、円筒状受部材５の内周面７と仲介リング１５の外周面１６とはこれよりも大きな勾配のテーパ状に形成されていることから、レバー１１を回して係合ピン１０を係合孔１８から抜いた後、ポール２を持ち上げれば、該ポール２を仲介リング１５ごと上方に引き抜くことが可能となる。
【００１８】
このように、例えば車椅子使用者のために椅子を一時的に撤去したいような場合は、座部１を上方に持ち上げればポール２を仲介リング１５ごと円筒状受部材５内から簡単に引き抜くことができ、残った円筒状受部材５の高さも比較的低いために、該円筒状受部材５が障害になることなくパチンコ機正面に車椅子を乗り込ませることができる。また、座部１を持ち上げるに際して筒状カバー部材１２を破壊する必要もなく、一人で簡単に離脱させることができる。こうして撤去した椅子は、傍らに一時的に立てかけておくことにより、代わって車椅子を円筒状受部材５の上に跨ぐように進入させることかできる。
【００１９】
また、店内改装工事のために椅子を撤去するに際しても同様に仲介リング１５ごとポール２を引き抜くことができるので、基盤体３は新しい椅子にもそのまま使用することができ、工事の手間とコストが軽減される。そして新しい椅子を設置するに際しても、先ず新たな仲介リング１５を円筒状受部材５内に合致させてから該仲介リング内にポール２を挿入すれば、座部を正確に正面を向けて設置することが可能となる。このため、アンカーボルト６による基盤体３のフロアへの設置は、従来のように向きに注意する必要もなく基礎工事も簡単に行うことができるようになる。
【００２０】
なお、必要に応じてバール状の工具を引掛ピン２０に掛けてポール２を持ち上げることにより、上記引き抜き作業は一層容易になる。また、該引掛ピン２０は座部１を正面を向けて設置するのに失敗し仲介リング１５中からポール２を一旦引き抜く必要が生じた場合にも使用することができる。その際は係合ピン１０を係合孔１８に嵌合したままで該引掛ピン２０に工具を掛けてポール２を持ち上げる。
【００２１】
なお、この実施例では円筒状受部材の内周面および仲介リングの外周面をテーパ状に形成したが、この両面については勾配を持たない直管状、即ち、ストレートに形成してもよい。また、円筒状受部材の内周面および／または仲介リングの外周面に密着を防ぐために筋状の凹凸を形成してもよい。
【００２２】
また、この実施例ではレバー１１を回すことで進退動するタイプの係合ピン１０を設けたが、単なる棒状ピン、或いはボルト等を使用することもできる。係合孔１８は円筒状受部材５の上縁に切欠状に設けられたものでもよい。また、係合ピンを設けたことにより、掃除の水等が該円筒状受部材内に侵入するのが防止され錆びを防いで耐久性が維持される。
【実施例２】
【００２３】
一方、図６は請求項３に記載の発明の実施例を示すもので、図５と同一符号は同一構成部分を示す。この実施例では仲介リング１５の外周に係合片２１を突設し、該係合片が係合する係合孔２２を円筒状受部材５に形成することにより、仲介リング１５が円筒状受部材５内に回転不能に嵌合されるようにしたものである。なお、この場合も仲介リング１５の外周面はストレートにできる。本発明は、このように構成することによっても実施例１の構成と同様に座部の向きを所要方向に常に正確に設定でき工事が容易になるとともに、ポールを簡単に引き抜くことができ、椅子の一時的撤去、および、再設置が容易となる。
【図面の簡単な説明】
【００２４】
【図１】本発明の実施例を示す椅子の部分破断面斜視図。
【図２】本発明の実施例を示すポール樹立装置の縦断面図。
【図３】図２のポール樹立装置の縦断面図。
【図４】図２のポール樹立装置の分解状態の縦断面図。
【図５】図２のポール樹立装置の分解状態の斜視図。
【図６】本発明の他の実施例を示すポール樹立装置の分解状態の斜視図。
【符号の説明】
【００２５】
１      座部
２      座部支持用ポール
３      基盤体
４      基板部
５      円筒状受部材
６      アンカーボルト
７      内周面
１０    係合ピン
１５    仲介リング
１６    外周面
１７    内周面
１８    係合孔
１９    外周面
２０    引掛ピン
２１    係合片
２２    係合孔
【図１】
2005287734.tif 000003
【図２】
2005287734.tif 000004
【図３】
2005287734.tif 000005
【図４】
2005287734.tif 000006
【図５】
2005287734.tif 000007
【図６】
2005287734.tif 000008